(57)【特許請求の範囲】
【請求項１】
端部同士が近接するように直列に連接配置された複数の管状光源と、
前記複数の管状光源に沿って直線状に形成され、前記管状光源から放射される光を反射させることにより、間接照明を得るための被照射面に照射する反射板と、
前記複数の管状光源に沿って直線状に形成され、前記複数の管状光源から前記被照射面に向けて直接放射される光の一部を遮る遮光板と、を備え、
前記遮光板には、前記複数の管状光源における連接部および前記連接部の近傍の部分から放射される光の一部を通過させる切欠が設けられている照明器具。
【発明の詳細な説明】
【技術分野】
【０００１】
本発明は、照明器具に関する。
【背景技術】
【０００２】
光源から放射された光を天井面や壁面によって反射させることにより、間接照明を得る照明器具が知られている。従来より、この種の照明器具として、管状光源の端部近傍に、管状光源の端部および端部の近傍の部分から放射された光を反射し、この光を天井面や壁面に照射する反射鏡を設けたコーブ型照明器具が知られている（例えば、特許文献１参照）。
【０００３】
このコーブ型照明器具は、管状光源の端部および端部の近傍の部分からの光による間接照明が、端部および端部の近傍以外の部分から放射された光による間接照明より暗くなる現象（以下、照明ムラという）を抑制できる。
【先行技術文献】
【特許文献】
【０００４】
【特許文献１】特開２００３−１３２７０６号公報（請求項１、図１、段落００１３）
【発明の概要】
【発明が解決しようとする課題】
【０００５】
しかしながら、従来のコーブ型照明器具は、複数の管状光源を直列に連接させることにより間接照明を得る場合、反射鏡の構成が複雑になるとともに、反射鏡の取付作業が困難になる虞がある。
【０００６】
本発明は、前述した課題を解決するためになされたものであり、複数の管状光源を直列に連接配置することにより間接照明を得る場合に、照明ムラを抑制でき、かつ反射部材の構成を簡略化できるとともに、反射部材の取付作業を容易にできる照明器具を提供することにある。
【課題を解決するための手段】
【０００７】
本発明の照明器具は、端部同士が近接するように直列に連接配置された複数の管状光源と、前記複数の管状光源に沿って直線状に形成され、前記管状光源から放射される光を反射させることにより、間接照明を得るための被照射面に照射する反射板と、前記複数の管状光源に沿って直線状に形成され、前記複数の管状光源から前記被照射面に向けて直接放射される光の一部を遮る遮光板と、を備え、前記遮光板には、前記複数の管状光源における連接部および前記連接部の近傍の部分から放射される光の一部を通過させる切欠が設けられている。
【発明の効果】
【０００９】
本発明によれば、直列に連接配置された複数の管状光源に沿って、直線状に形成された反射板および遮光板を、複数の管状光源に沿って配置するだけで、間接照明の照明ムラを抑制でき、かつ反射板および遮光板の構成を簡略化できるとともに、反射板および遮光板の取付作業を容易にできる。
【図面の簡単な説明】
【００１０】
【図１】本発明に係る実施形態の照明器具を示す図
【図２】図１のＡ矢視図
【図３】図２のＢ矢視図
【図４】本発明に係る実施形態の照明器具を適用した間接照明装置を示す図
【発明を実施するための形態】
【００１１】
以下、本発明に係る実施形態の照明器具について、図面を参照して説明する。
図１は、本発明に係る実施形態の照明器具１０を示す。この照明器具１０は、端部同士が近接するように直列に連接配置される複数の管状光源１１と、複数の管状光源１１に沿って直線状に形成され、管状光源１１から放射される光を反射させることにより、間接照明を得るための被照射面（例えば、天井面や壁面等）に照射する反射板１３と、複数の管状光源１１に沿って直線状に形成され、複数の管状光源１１から被照射面に向けて直接放射される光の一部を遮る遮光板１５と、を備えている。
【００１２】
次に、上記各構成要素について説明する。間接照明を得るための被照射面としては、天井面や壁面等が用いられる。管状光源１１は、直管状放電灯等を使用できる。本実施形態では、反射板１３は、管状光源１１と同一の長さを有する直線状に形成されている。この反射板１３は、各管状光源１１に対してそれぞれ平行に連接配置されている。これにより、複数の反射板１３が、複数の管状光源１１に沿って直線的に配置されている。
【００１３】
各反射板１３は、図２に示すように、管状光源１１から放射された光を反射して、被照射面に確実に照射するようにするため、略逆Ｊ字状に形成され、管状光源１１における被照射面の反対側の面を覆うとともに、被照射面側を開放するように配置されている。反射板１３としては、鋼板、ステンレス、アルミ板等の反射率の高い材料を使用できる。
【００１４】
遮光板１５は、反射板１３と略同一の長さと、比較的狭い幅とを有している。また、遮光板１５は、反射板１３の逆Ｊ字における短辺の端部に連結され、反射板１３から管状光源１１側に略逆Ｌ字状に折り曲げ形成されている。
【００１５】
遮光板１５には、図３に示すように、複数の管状光源１１の連接部１４および連接部１４の近傍の部分から放射された光の一部を通過させる切欠１６が設けられている。切欠１６を通過した光は、被照射面に直接照射される。本実施形態では、切欠１６は、遮光板１５の端縁１５ａから内側にかけて開口面積が徐々に小さくなる二等辺三角形状に形成されている。
【００１６】
本実施形態では、管状光源１１から放射され、被照射面方向に直接照射される光の一部が、遮光板１５によって遮られるものの、管状光源１１の連接部１４および連接部１４の近傍から放射され、被照射面方向に直接照射される光の一部は、切欠１６を通過して被照射面に直接照射される。
【００１７】
反射板１３における管状光源１１の反対側には、管状光源１１に電源を供給するソケット部１７が設けられている。
【００１８】
図４は、本発明に係る実施形態の照明器具１０を用いた間接照明装置２０を示す。この間接照明装置２０は、被照射面である天井面２１から下方に延びる下がり壁２２が設けられ、下がり壁２２の両方の被照射面である壁面２２Ａ，２２Ａにおける下端部に、照明器具１０，１０が取り付けられている。これらの照明器具１０，１０は、互いに左右反対向きに配置されている。
なお、以下の説明においては、主に、図１中の左側の照明器具１０について説明するが、図１中の右側の照明器具１０は左側の照明器具１０と向きが反対に配置されているが、同一構成であるので、その説明は省略する。
【００１９】
照明器具１０は、反射板１３の逆Ｊ字における開口部を天井面２１および壁面２２Ａ側に向け、かつ遮光板１５を壁面２２Ａに直交させて配置されている。照明器具１０の管状光源１１が点灯されると、管状光源１１における天井面２１および壁面２２Ａの反対側の部分から放射された光は、反射板１３によって反射されることにより、天井面２１および壁面２２Ａに照射され、さらに天井面２１および壁面２２Ａによって反射されることにより、間接照明を得る。
【００２０】
また、管状光源１１における天井面２１および壁面２２Ａと対向する部分から放射された光の大部分は、天井面２１および壁面２２Ａに直接照射される。ただし、管状光源１１における壁面２２Ａと対向する部分から放射された光の一部は、遮光板１５によって遮光され、壁面２２Ａに照射されないが、複数の管状光源１１における連接部１４および連接部１４の近傍から放射された光の一部は、遮光板１５の切欠１６（図３参照）を通過して、壁面２２Ａに直接照射される。
【００２１】
なお、下がり壁２２の下端部には、側方に突出する遮蔽片２３が設けられている。各照明器具１０，１０は、遮蔽片２３によって遮蔽されることにより、床面上にいる人から視認できない。
【００２２】
本発明の照明器具１０によれば、管状光源１１から放射され、照明器具１０に近接している壁面２２Ａに直接照射される光量が、遮光板１５によって調整されることにより、管状光源１１における連接部１４および連接部１４の近傍から照射される比較的輝度が低い光による間接照明と、それ以外の部分から照射される比較的輝度が高い光による間接照明との間に、照明ムラが発生するのを抑制できる。
【００２３】
また、遮光板１５に、複数の管状光源１１の連接部１４および連接部１４の近傍の部分から放射される光の一部を通過させる切欠１６が設けられていることにより、切欠１６を通過した光が壁面２２Ａに直接照射される。これにより、管状光源１１の連接部１４および連接部１４の近傍の部分から放射される光による間接照明と、連接部１４および連接部１４の近傍以外の部分から放射される光による間接照明との間に、照明ムラが発生するのをさらに確実に抑制できる。
【００２４】
また、反射板１３および遮光板１５が、複数の管状光源１１に沿って直線状に形成されていることにより、反射板１３および遮光板１５の構成を簡略化できる。さらに、反射板１３および遮光板１５を複数の管状光源１１に沿って配置するだけで取付作業を行うことができることにより、取付作業を容易にできる。
【００２５】
本実施形態では、反射板１３と遮光板１５とが逆Ｊ字状に一体的に形成されていることにより、複数の管状光源１１を反射板１３と遮光板１５との間に挿入するだけで、反射板１３および遮光板１５を複数の管状光源１１に取り付けできるので、取付作業をさらに容易にできる。
【００２６】
また、本実施形態に係る間接照明装置２０によれば、下がり壁２２における両壁面２２Ａ，２２Ａの下端部に照明器具１０，１０が設けられていることにより、広い範囲にわたって照明ムラのない間接照明を得る。
【００２７】
なお、照明器具１０における遮光板１５の切欠１６は、三角形、四角形等各種の形状にできる。
【符号の説明】
【００２８】
１０  照明器具
１１  管状光源
１３  反射板
１４  連接部
１５  遮光板
１６  切欠
２１  天井面（被照射面）
２２Ａ  壁面（被照射面）
【図１】
0005615126.tif 000002
【図２】
0005615126.tif 000003
【図３】
0005615126.tif 000004
【図４】
0005615126.tif 000005